(57)【特許請求の範囲】
【請求項１】
少なくとも１つのＬＥＤを動作させるための回路装置であって、
・前記少なくとも１つのＬＥＤに結合される出力部を備えた少なくとも１つのスイッチングレギュレータ（１４）と、
・前記少なくとも１つのＬＥＤに並列接続されている、制御電極を備えた少なくとも１つの短絡スイッチ（ＫＳ）と、
・放射信号（ＶＳ）が供給される少なくとも１つの放射信号入力部、および、前記短絡スイッチ（ＫＳ）の前記制御電極と結合された少なくとも１つの第１出力部、を備える制御装置（１０）と
を有する回路装置において、
前記少なくとも１つのスイッチングレギュレータ（１４）はさらに、該スイッチングレギュレータ（１４）をスタートおよびストップするためのスタート・ストップ入力部を有し、
前記制御装置（１０）はさらに、前記少なくとも１つのスイッチングレギュレータ（１４）の前記スタート・ストップ入力部と結合されている第２出力部を有し、
前記制御装置（１０）は、該制御装置（１０）の前記第２出力部に、前記放射信号（ＶＳ）に依存した、前記少なくとも１つのスイッチングレギュレータ（１４）をスタートおよびストップするためのスタート／ストップ信号を供給する、回路装置において、
前記制御装置（１０）は、該制御装置の第２出力部に、前記少なくとも１つのスイッチングレギュレータ（１４）をスタートするためのスタート信号（Ｕｅｎａｂｌｅ）を供給するよう構成されており、
前記スタート信号（Ｕｅｎａｂｌｅ）は、前記短絡スイッチ（ＫＳ）を非導通状態に切り換えるための、前記制御装置の第１出力部に供給される信号（Ｕｓｔｒｏｂｅ）よりも、所定の第１期間（Ｔ１）だけ先行する
ことを特徴とする回路装置。
【請求項２】
前記制御装置（１０）はさらに、該制御装置の第２出力部に、前記少なくとも１つのスイッチングレギュレータ（１４）をストップするためのストップ信号（Ｕｅｎａｂｌｅ）を供給するよう構成されており、
前記ストップ信号（Ｕｅｎａｂｌｅ）は、前記短絡スイッチ（ＫＳ）を導通状態に切り換えるための、前記制御装置の第１出力部に供給される信号（Ｕｓｔｒｏｂｅ）と時間的に関連しており、とりわけ当該信号（Ｕｓｔｒｏｂｅ）よりも所定の第２期間（Ｔ２）だけ遅れているか、または当該信号（Ｕｓｔｒｏｂｅ）と同時に発生する、
ことを特徴とする請求項１記載の回路装置。
【請求項３】
前記制御装置（１０）はさらに、画像形成要素に結合される第３出力部を有し、
前記制御装置（１０）は、該制御装置の第３出力部に供給される信号（ＢＥ）を介して、前記画像形成要素を制御するよう構成されている、
ことを特徴とする請求項１または２記載の回路装置。
【請求項４】
前記制御装置（１０）はさらに、前記少なくとも１つのスイッチングレギュレータ（１４）と結合された第４出力部を有し、
前記制御装置（１０）は、該制御装置の第４出力部に供給される信号（ＣＭ）を介して、前記少なくとも１つのスイッチングレギュレータ（１４）の出力部に供給すべき電流の電流強度を制御するよう構成されている、
ことを特徴とする請求項１から３のいずれか一項記載の回路装置。
【請求項５】
前記制御装置（１０）は、記憶装置（１２）を有し、
前記制御装置（１０）は、前記放射信号（ＶＳ）に関連した信号を前記記憶装置（１２）に記憶するよう構成されている、
ことを特徴とする請求項１から４のいずれか一項記載の回路装置。
【請求項６】
前記放射信号（ＶＳ）は複数のフレームを有し、
前記制御装置（１０）は、前記放射信号（ＶＳ）から、複数の前記フレームのうちの各フレームの始まりを検出するよう構成されており、
前記制御装置（１０）はさらに、前記第２出力部に、前記少なくとも１つのスイッチングレギュレータ（１４）をスタートするためのスタート信号（Ｕｓｙｎｃ）を供給するよう構成されており、
前記スタート信号（Ｕｓｙｎｃ）は、前記短絡スイッチ（ＫＳ）を非導通状態に切り換えるための、前記制御装置の第１出力部に供給される信号（Ｕｓｔｒｏｂｅ）よりも、所定の第３期間だけ先行する、
ことを特徴とする請求項１から５のいずれか一項記載の回路装置。
【請求項７】
前記制御装置（１０）は、前記放射信号（ＶＳ）から、複数の前記フレームのうちの各フレームの終わりを検出するよう構成されており、
前記制御装置（１０）はさらに、前記第２出力部に、前記少なくとも１つのスイッチングレギュレータ（１４）をストップするためのストップ信号（Ｕｓｙｎｃ）を供給するよう構成されており、
前記ストップ信号（Ｕｓｙｎｃ）は、前記短絡スイッチ（ＫＳ）を導通状態に切り換えるための、前記制御信号の第１出力部に供給される信号よりも、所定の第４期間だけ遅れている、
ことを特徴とする請求項６記載の回路装置。
【請求項８】
前記回路装置は、少なくとも１つの第１スイッチングレギュレータ（１４ａ）、第２スイッチングレギュレータ（１４ｂ）、および、第３スイッチングレギュレータ（１４ｃ）を有し、
前記第１スイッチングレギュレータ（１４ａ）の出力部は、第１波長領域の放射、とりわけ赤色の放射を出射する少なくとも１つのＬＥＤ（ＬＥＤ１）と結合されており、
前記第２スイッチングレギュレータ（１４ｂ）の出力部は、第２波長領域の放射、とりわけ緑色の放射を出射する少なくとも１つのＬＥＤ（ＬＥＤ２）と結合されており、
前記第３スイッチングレギュレータ（１４ｃ）の出力部は、第３波長領域の放射、とりわけ青色の放射を出射する少なくとも１つのＬＥＤ（ＬＥＤ３）と結合されており、
前記制御装置（１０）は、前記第１スイッチングレギュレータ（１４ａ）のスタート・ストップ入力部と結合された少なくとも１つの第１の第２出力部と、前記第２スイッチングレギュレータ（１４ｂ）のスタート・ストップ入力部と結合された少なくとも１つの第２の第２出力部と、前記第３スイッチングレギュレータ（１４ｃ）のスタート・ストップ入力部と結合された少なくとも１つの第３の第２出力部と、を有する、
ことを特徴とする請求項１から７のいずれか一項記載の回路装置。
【請求項９】
前記回路装置は、少なくとも１つの第１スイッチングレギュレータ（１４ａ）、第２スイッチングレギュレータ（１４ｂ）、および、第３スイッチングレギュレータ（１４ｃ）を有し、
前記第１スイッチングレギュレータ（１４ａ）の出力部は、第１波長領域の放射、とりわけ赤色の放射を出射する少なくとも１つのＬＥＤ（ＬＥＤ１）と結合されており、
前記第２スイッチングレギュレータ（１４ｂ）の出力部は、第２波長領域の放射、とりわけ緑色の放射を出射する少なくとも１つのＬＥＤ（ＬＥＤ２）と結合されており、
前記第３スイッチングレギュレータ（１４ｃ）の出力部は、第３波長領域の放射、とりわけ青色の放射を出射する少なくとも１つのＬＥＤ（ＬＥＤ３）と結合されており、
前記制御装置（１０）の第２出力部は、少なくとも前記第１スイッチングレギュレータ（１４ａ）、前記第２スイッチングレギュレータ（１４ｂ）、および、前記第３スイッチングレギュレータ（１４ｃ）のスタート・ストップ入力部と結合されている、
ことを特徴とする請求項１から７のいずれか一項記載の回路装置。
【請求項１０】
前記制御装置（１０）の前記第２出力部に供給される信号（Ｕｓｙｎｃ）は、少なくとも、前記第１スイッチングレギュレータ（１４ａ）、前記第２スイッチングレギュレータ（１４ｂ）、および、前記第３スイッチングレギュレータ（１４ｃ）のためのスタート／ストップ信号を、シリアルに含む、
ことを特徴とする請求項９記載の回路装置。
【請求項１１】
少なくとも、前記制御装置（１０）の前記第２出力部と前記第１スイッチングレギュレータ（１４ａ）との間に第１フィルタ装置（２０ａ）が結合されており、
前記制御装置（１０）の前記第２出力部と前記第２スイッチングレギュレータ（１４ｂ）との間に第２フィルタ装置（２０ｂ）が結合されており、
前記制御装置（１０）の前記第２出力部と前記第３スイッチングレギュレータ（１４ｃ）との間に第３フィルタ装置（２０ｃ）が結合されている、
ことを特徴とする請求項９または１０記載の回路装置。
【請求項１２】
少なくとも１つのＬＥＤに結合される出力部を備えた少なくとも１つのスイッチングレギュレータ（１４）と、
前記少なくとも１つのＬＥＤに並列接続されている、制御電極を備えた短絡スイッチ（ＫＳ）と、
放射信号（ＶＳ）が供給される少なくとも１つの放射信号入力部、および、前記短絡スイッチ（ＫＳ）の前記制御電極と結合されている少なくとも１つの第１出力部を備えた制御装置と、
を有する回路装置にて、少なくとも１つのＬＥＤを動作させるための方法において、
前記スイッチングレギュレータ（１４）を、前記制御装置（１０）によって、前記放射信号（ＶＳ）に依存してスタートおよびストップする、方法において、
前記短絡スイッチ（ＫＳ）を非導通状態に切り換えるよりも、所定の第１期間（Ｔ１）だけ先行して、前記スイッチングレギュレータ（１４）をスタートさせる
ことを特徴とする方法。
【請求項１３】
前記短絡スイッチ（ＫＳ）を導通状態に切り換えるよりも、所定の第２期間（Ｔ２）だけ遅れて、前記スイッチングレギュレータ（１４）をストップさせる、
請求項１２記載の方法。
【発明の詳細な説明】
【技術分野】
【０００１】
本発明は、少なくとも１つのＬＥＤを動作させるための回路装置であって、少なくとも１つのＬＥＤに結合される出力部を備えた少なくとも１つのスイッチングレギュレータと、前記少なくとも１つのＬＥＤに並列接続されている、制御電極を備えた短絡スイッチと、放射信号が供給される少なくとも１つの放射信号入力部、および、前記短絡スイッチの前記制御電極と結合されている少なくとも１つの出力部を備えた制御装置と、を有する回路装置に関する。本発明はさらに、上記のような回路装置において少なくとも１つのＬＥＤを動作させるための方法にも関する。
【０００２】
背景技術
本発明の基礎となる課題は、例えばプロジェクタ等の任意のユニットにて使用する場合のＬＥＤ、とりわけパワーＬＥＤの動作に関する。放射信号という用語は、以下では、とりわけ可視波長領域および赤外線波長領域における放射であると理解されたい。現在のところ、ＬＥＤの最も短いオン期間は約４μｓである。このように短い期間を実現するためには、迅速な光増加および光減少を保証しなければならない。
【０００３】
このために従来技術から２つの方法が公知である：電圧源にてリニアレギュレータを使用すると、所期の迅速な光増加時間および光減少時間を達成することができ、その上さらに、ＬＥＤを流れる電流を高解像度で調整することが可能となる。しかしながらリニアレギュレータの使用は、高い損失電力を伴う。第２の方法は、ＬＥＤを制御するためにスイッチングレギュレータを使用することである。この場合には、スイッチングレギュレータは常時動作しており、ＬＥＤが光を出力すべきでない期間中は、ＬＥＤを短絡するために、ＬＥＤに並列接続された短絡スイッチが使用される。ＬＥＤが短絡されている時間中、短絡スイッチはスイッチングレギュレータの出力電流を受け取る。電流の振幅は、スイッチングレギュレータにおいて調整される。このバリエーションも不所望に高い損失をもたらす。
【０００４】
発明の概要
したがって本発明の課題は、上位概念に記載の回路装置を発展させて、ＬＥＤの所期の短いオン時間を、できるだけ僅かな損失で補償できるようにすることである。本発明の課題はさらに、少なくとも１つのＬＥＤを動作させるための相応の方法を提供することである。
【０００５】
この課題は、請求項１記載の特徴を備えた回路装置および請求項１３記載の特徴を備えた方法により解決される。
【０００６】
本発明は、スイッチングレギュレータから供給される出力電流は、−比較的長期間に亘って観察した場合−実際にはＬＥＤを動作させるために比較的短期間しか必要とされない、という認識に基づく。大部分の期間は、スイッチングレギュレータの出力電流は使用されずに損失電力に変換される。特に重要なのは、複数のＬＥＤが使用されるプロジェクタの場合における、ＬＥＤのオン期間とオフ期間の間の不均衡であり、この場合には複数のＬＥＤが種々異なる波長を放射し、これらのＬＥＤは放射を出力するためにシリアルにのみ制御される。したがって本発明は、損失電力を低減するために、スイッチングレギュレータを放射信号に依存して動作させる、つまり状況に応じて動作させるよう提案するものである。したがって本発明によれば、少なくとも１つのスイッチングレギュレータはさらに、スイッチングレギュレータをスタートおよびストップするためのスタート・ストップ入力部を有し、制御装置はさらに、少なくとも１つのスイッチングレギュレータのスタート・ストップ入力部と結合された第２出力部を有し、制御装置は、制御装置の第２出力部に、少なくとも１つのスイッチングレギュレータをスタートおよびストップするためのスタート／ストップ信号を供給するよう構成されている。この結果、例えば送風機のような冷却手段の故障が格段に僅かになる。これによって冷却手段のために必要なエネルギを低減することができる。その上、例えば送風機によって引き起こされるノイズ放射も低減される。
【０００７】
この手段によって、少なくとも１つのＬＥＤが放射を出力するよう制御される必要がない期間中の損失電力を回避することができる。この時間は、回路装置の動作時間の２／３にまで相当する。回避された損失電力の大きさは、少なくとも１つのＬＥＤを流れる電流が３０Ａのオーダであり得ることを考慮すれば特に明確に認識できる。したがって本発明によるスイッチングレギュレータを使用すると、リニアレギュレータを使用するよりも損失は格段に僅かになり、それでもなお、オン時間を３μｓ未満の範囲で実現することが可能である。
【０００８】
特に有利な実施形態では、制御装置が、自身の第２出力部に、少なくとも１つのスイッチングレギュレータをスタートするためのスタート信号を供給するよう構成されており、該スタート信号は、短絡スイッチを非導通状態に切り換えるための、制御装置の第１出力部に供給される信号よりも、所定の第１期間だけ先行する。このことは、スイッチングレギュレータのインダクタンスを十分に磁化するために、スイッチングレギュレータのスイッチングの約２〜３のスイッチング期間が必要とされることを考慮したものである。この期間を短縮するためにスイッチング周波数を増加させると、これによってパワー素子にスイッチング損失が生じてしまうので望ましくない。とりわけビデオ電子機器として構成された制御装置には、いつＬＥＤを、放射を出力するよう制御すべきかについての情報が存在しているので、スイッチングレギュレータを前もって適時にスタートさせることができ、したがってＬＥＤをオンすべき時点には既に、スイッチングレギュレータの出力部に目標電流を供給しておくことが可能である。ここでは５〜５０μｓ、有利には１０μｓのオーダの先行時間で十分である。
【０００９】
制御装置はさらに、自身の第２出力部に、少なくとも１つのスイッチングレギュレータをストップするためのストップ信号を供給するよう構成することができ、ストップ信号は、短絡スイッチを導通状態に切り換えるための、制御装置の第１出力部に供給される信号と時間的に関連しており、とりわけ当該信号よりも所定の第２期間だけ遅れているか、または当該信号と同時に発生する。この場合どの時点にＬＥＤを、これ以上放射を出力しないよう制御すべきか、についての制御装置に存在する情報が、スイッチングレギュレータをオフするために使用される。この手段によってスイッチングレギュレータは、ＬＥＤに所期の期間中に所定の目標電流を提供するために必要な時間中のみ動作される。これによって損失電力の最小化を達成することができる。
【００１０】
制御装置は有利にはさらに、画像形成要素、とりわけＤＬＰ（Digital Light Processing）に結合される第３出力部を有し、制御装置は、自身の第３出力部に供給される信号を介して、画像形成要素を制御するよう構成されている。この手段によって、制御装置の第１、第２、第３出力部に供給される信号同士を互いに調整することができる。
【００１１】
制御装置はさらに、少なくとも１つのスイッチングレギュレータと結合された第４出力部を有することができ、制御装置は、自身の第４出力部に供給される信号を介して、少なくとも１つのスイッチングレギュレータの出力部に供給すべき電流の電流強度を制御するよう構成されている。これによってスイッチングレギュレータは、ＬＥＤに、該ＬＥＤが放射を出力するよう制御される期間内で使用するよう調整された精確な電流強度の電流を供給するよう保証される。この手段によって、ＬＥＤから出力される光強度の、とりわけ経年劣化に起因した変動を補償することができる。
【００１２】
有利には、制御装置は記憶装置を有し、制御装置は、放射信号に関連した信号を記憶装置に記憶するよう構成されている。このバッファ記憶によって、スイッチングレギュレータをスタートするためのスタート信号を、短絡スイッチを非導通状態に切り換えるための信号よりも時間的に前に供給することが可能となる。この目的のための記憶装置は、通常は、プロジェクタにて少なくとも１つの後続画像の色情報を処理する間における、目下の画像に基づいた少なくとも１つのＬＥＤを安定した制御を保証するために、いずれにせよプロジェクタに既存である。
【００１３】
放射信号が多数のフレームを有する場合には、制御装置が、放射信号から、多数のフレームのうちの各フレームの始まりを検出するよう構成されていると有利であり、制御装置はさらに、第２出力部に、少なくとも１つのスイッチングレギュレータをスタートするためのスタート信号を供給するよう構成されており、スタート信号は、短絡スイッチを非導通状態に切り換えるための、制御装置の第１出力部に供給される信号よりも、所定の第３期間だけ先行する。この手段によって、制御装置における計算コストを低減することができる。それゆえスイッチングレギュレータはもはや、各ＬＥＤの実際の所期のオン期間を考慮してオンされるわけではなく、フレームに関連してオンされる。
【００１４】
相応にして制御装置は、放射信号から、多数のフレームのうちの各フレームの終わりを検出するよう構成することができ、制御装置はさらに、第２出力部に、少なくとも１つのスイッチングレギュレータをストップするためのストップ信号を供給するよう構成されており、ストップ信号は、短絡スイッチを導通状態に切り換えるための、制御信号の第１出力部に供給される信号よりも、所定の第４期間だけ遅れている。それゆえスイッチングレギュレータは、相応のフレーム中にＬＥＤをより短く動作させるべきか、より長く動作させるべきかとは関係なく、全フレーム中オンされ、全フレームの間、目標電流をＬＥＤに供給することができる。これによって確かに、比較的長期間に亘って観察すると、ＬＥＤを放射を出力するよう制御すべき期間に実際に調整される場合よりもオン期間が長くなってしまうが、制御装置における計算コストは格段に低減される。これに伴う損失電力の上昇は、比較的僅かである。
【００１５】
特に有利な実施形態においては、回路装置は、少なくとも１つの第１スイッチングレギュレータ、第２スイッチングレギュレータ、第３スイッチングレギュレータを有し、第１スイッチングレギュレータの出力部は、第１波長領域の放射、とりわけ赤色の放射を出射する少なくとも１つのＬＥＤと結合されており、第２スイッチングレギュレータの出力部は、第２波長領域の放射、とりわけ緑色の放射を出射する少なくとも１つのＬＥＤと結合されており、第３スイッチングレギュレータの出力部は、第３波長領域の放射、とりわけ青色の放射を出射する少なくとも１つのＬＥＤと結合されており、制御装置は、第１スイッチングレギュレータのスタート・ストップ入力部と結合された少なくとも１つの第１の第２出力部と、第２スイッチングレギュレータのスタート・ストップ入力部と結合された少なくとも１つの第２の第２出力部と、第３スイッチングレギュレータのスタート・ストップ入力部と結合された少なくとも１つの第３の第２出力部と、を有する、ことを特徴としている。このバリエーションによれば、赤色光、緑色光、青色光を出力するＬＥＤを含む通常のプロジェクタを実現することができる。もちろん、相応の制御部を備えたさらなる別のＬＥＤを設けることもでき、例えば、赤外線波長領域の放射を出力するよう構成されたＬＥＤを設けることもできる。
【００１６】
択一的に、回路装置が、少なくとも１つの第１スイッチングレギュレータ、第２スイッチングレギュレータ、第３スイッチングレギュレータを有し、第１スイッチングレギュレータの出力部は、第１波長領域の放射、とりわけ赤色の放射を出射する少なくとも１つのＬＥＤと結合されており、第２スイッチングレギュレータの出力部は、第２波長領域の放射、とりわけ緑色の放射を出射する少なくとも１つのＬＥＤと結合されており、第３スイッチングレギュレータの出力部は、第３波長領域の放射、とりわけ青色の放射を出射する少なくとも１つのＬＥＤと結合されており、制御装置の第２出力部を、少なくとも第１スイッチングレギュレータ、第２スイッチングレギュレータ、および、第３スイッチングレギュレータのスタート・ストップ入力部と結合されるようにすることができる。このバリエーションでは、ＬＥＤドライバの中に第１、第２、第３スイッチングレギュレータが統合されており、これらのスイッチングレギュレータを制御するために、プロジェクタでよく使用される、ＬＥＤドライバ用の周期的な同期化信号が使用される。これによって制御装置とＬＥＤドライバの間の線路数が低減され、その結果、コストが低減される。
【００１７】
この関連において、制御装置の第２出力部に供給される信号は、少なくとも第１、第２、第３スイッチングレギュレータのためのスタート／ストップ信号を、シリアルに含む。
【００１８】
各スイッチングレギュレータに各スタート／ストップ信号を供給するために、少なくとも、制御装置の第２出力部と第１スイッチングレギュレータとの間に第１フィルタ装置を結合し、制御装置の第２出力部と第２スイッチングレギュレータとの間に第２フィルタ装置を結合し、制御装置の第２出力部と第３スイッチングレギュレータとの間に第３フィルタ装置を結合することができる。第１〜３フィルタ装置はもちろん、共通の１つのフィルタ装置の中に統合させることができる。
【００１９】
別の有利な実施形態は、従属請求項に記載されている。
【００２０】
本発明による回路装置に関連して述べてきた有利な実施形態およびそれらの利点は、適用可能であるかぎり、少なくとも１つのＬＥＤを動作させるための本発明による方法にも相応にあてはまる。
【００２１】
以下、添付の図面を参照しながら本発明の実施形態をより詳細に説明する。
【図面の簡単な説明】
【００２２】
【図１】図１は、本発明による回路装置の第１実施形態を示す概略図である。
【図２】図２は、本発明による回路装置の図１に示した実施形態の、種々の信号の時間推移を示す図である。
【図３】図３は、本発明による回路装置の第２実施形態を示す概略図である。
【図４】図４は、本発明による回路装置の図３に示した実施形態の、種々の信号の時間推移を示す図である。
【図５】図５は、本発明による回路装置の第３実施形態を示す概略図である。
【図６】図６は、本発明による回路装置の図５に示した実施形態の、種々の信号の時間推移を示す図である。
【００２３】
発明の有利な実施形態
図１には、本発明による回路装置の第１実施形態の概略図が示されている。この回路装置は制御装置１０を有し、制御装置１０の入力部にビデオ信号ＶＳが供給される。制御装置１０は記憶装置１２を有し、この記憶装置１２の中には、到着してきた目下の画像に関するビデオ情報が、後続する画像に関するビデオ情報、とりわけディスプレイ装置上の表示に関するビデオ情報を処理する間、バッファされる。制御装置１０の出力側は、スイッチングレギュレータ１４と結合されている。スイッチングレギュレータ１４は、本願では例えば降圧コンバータとして構成されている。スイッチングレギュレータ１４は、スイッチングレギュレータ制御部１６を含む。スイッチングレギュレータ制御部１６は、供給電圧Ｕｉｎと結合された、スイッチングレギュレータ１４の電子スイッチＳを制御する。スイッチングレギュレータ１４はさらに、ダイオードＤと、インダクタンスＬと、コンデンサＣとを含む。コンデンサＣの両端において降下する電圧はＵＣで示している。スイッチングレギュレータの出力部には、短絡スイッチＫＳとＬＥＤとからなる並列回路が結合されており、この並列回路に対して直列にシャント抵抗ＲＳが結合されている。制御装置１０は、スイッチングレギュレータ制御部１６に、信号Ｕｅｎａｂｌｅと信号Ｕｃｕｒｒｅｎｔを供給する。制御装置１０は、信号Ｕｅｎａｂｌｅ用いて、スイッチングレギュレータ１４をスタートないしストップさせる。制御装置１０は、信号Ｕｃｕｒｒｅｎｔを用いて、スイッチングレギュレータ１４によってＬＥＤに供給すべき入力電流Ｉａを調整する。
【００２４】
制御装置１０はさらに、信号Ｕｓｔｒｏｂｅ用いて、短絡スイッチＫＳを制御する。制御装置１０は、信号ＢＥによって、例えばＤＬＰのような画像形成ユニット１８を制御する。特に小さい出力電流Ｉａを供給するために、抵抗ＲＳの両端において降下する電圧ＵＲＳが、制御装置１０によって供給される信号ＣＭによって変調される。付加電圧が追加されてしまうと、スイッチングレギュレータ制御部１６での電圧降下は、見かけ上、実際の場合よりも大きくなってしまう。それからスイッチングレギュレータ制御部１６は、スイッチＳを相応に制御することによって出力電流Ｉａを低減させる。
【００２５】
本発明によれば、制御装置１０は、スイッチングレギュレータ１４を放射信号ＶＳに依存してスタートおよびストップするよう構成されている。このことを、図２を参照して詳細に説明する。
【００２６】
図２は、本発明の回路装置の図１に示した実施形態の種々の信号の時間推移を示す図である。まず曲線ａ）は、信号Ｕｅｎａｂｌｅの時間推移を示す。これによれば、スイッチングレギュレータ１４が時点ｔ１にオンされ、時点ｔ４にオフされる、曲線ｂ）は、動作中にコンデンサＣの両端において降下する電圧ＵＣの相応の推移を示す。明確に認識できるように、スイッチングレギュレータ１４は、出力部にて所期の出力電流ＩａをＬＥＤに供給するために必要な電圧ＵＳｏｌｌに達するまでに、期間Ｔ１を要する。曲線ｃ）は、短絡スイッチＫＳのための制御信号の時間推移を示す。短絡スイッチＫＳは、時点ｔ２に非導通状態に切り換えられ、時点ｔ３に再び導通状態に切り換えられる。これによって、動作中にＬＥＤの両端において降下する電圧ＵＬＥＤは、曲線ｄ）に図示した時間推移となる。曲線ａ）と曲線ｃ）との比較が示すように、スイッチングレギュレータ１４のオフ信号は、短絡スイッチＫＳを導通状態に切り換えるための信号よりも、時間Ｔ２だけ遅れている。曲線ｃ）と曲線ｄ）との比較から分かるように、これらの曲線は、短絡スイッチＫＳの切換時間が非常に短いと仮定した場合、互いにほぼ逆の推移となっている。
【００２７】
図３は、複数のスイッチングレギュレータ１４を含む本発明の回路装置の実施形態を概略的に示す。スイッチングレギュレータ１４ａの出力側は、赤色光を放射するＬＥＤ１と結合されており、スイッチングレギュレータ１４ｂの出力側は、緑色光を放射するＬＥＤ２と結合されており、スイッチングレギュレータ１４ｃの出力側は、青色光を放射するＬＥＤ３と結合されている。図３では、各短絡スイッチＫＳは、それぞれ各スイッチングレギュレータ１４ａ〜ｃの中に含まれている。したがって−図１に相応して−、制御装置１０は、スイッチングレギュレータ１４ａに、信号ＵｅｎａｂｌｅＲ，ＵｃｕｒｒｅｎｔＲ，ＵｓｔｒｏｂｅＲを供給し、スイッチングレギュレータ１４ｂに、信号ＵｅｎａｂｌｅＧ，ＵｃｕｒｒｅｎｔＧ，ＵｓｔｒｏｂｅＧを供給し、スイッチングレギュレータ１４ｃに、信号ＵｅｎａｂｌｅＢ，ＵｃｕｒｒｅｎｔＢ，ＵｓｔｒｏｂｅＢを供給する。場合によってさらに供給すべき信号ＣＭは、見やすくするために図示していない。
【００２８】
図４は、信号ＵｅｎａｂｌｅＲ，ＵＬＥＤ１，ＵｅｎａｂｌｅＧ，ＵＬＥＤ２，ＵｅｎａｂｌｅＢ，ＵＬＥＤ３の時間推移を示す。図４の曲線ａ），ｃ），ｅ）は、図２の曲線ａ）に相当する。図４の曲線ｂ），ｄ），ｆ）は、図２の曲線ｄ）に相当する。既に述べたように、各信号ＵｓｔｒｏｂｅＲ，ＵｓｔｒｏｂｅＧ，ＵｓｔｒｏｂｅＢは、信号ＵＬＥＤ１，ＵＬＥＤ２，ＵＬＥＤ３とは逆に推移する。
【００２９】
本発明の回路装置の図５に図示した実施形態は、図３に図示した実施形態に大部分が相応しており、したがって相違点のみ言及する。図５に図示した実施形態の場合には、スイッチングレギュレータ１４ａ，１４ｂ，１４ｃをオンおよびオフするために、制御装置１０から供給される信号Ｕｓｙｎｃが使用される。信号Ｕｓｙｎｃは周期的な同期信号であり、この同期信号から、場合によって、どのフレーム内でＬＥＤ１を、放射を出力するよう制御すべきか、どのフレーム内でＬＥＤ２を、放射を出力するよう制御すべきか、どのフレーム内でＬＥＤ３を、放射を出力するよう制御すべきか、という情報が使用される。図３に図示した実施形態の場合には、画像から画像への間の各時点ｔ１，ｔ２，ｔ３，ｔ４を計算によって検出するように制御装置１０が構成されている一方で、図５に図示した実施形態の場合には、スイッチングレギュレータが、相応のＬＥＤの実際のオン期間とは独立して、適時に相応のフレームの前にオンされ、フレームの直後にオフされる。このことは確かに、相応の画像において所属のＬＥＤのスペクトル成分が必要無い場合にも、相応のスイッチングレギュレータ１４ａ〜１４ｃがオンされる場合があるという欠点をもたらすが、しかしながらこれによって、図２の時点ｔ１〜ｔ４を検出するために制御装置１０で必要な計算コストを省略することができる。信号Ｕｓｙｎｃ内に存在するシリアルのフレーム情報を、各スイッチングレギュレータ１４ａ〜ｃが使用できるようにするために、フィルタ装置２０ａ，２０ｂ，２０ｃが設けられている。それゆえフィルタ装置２０ａ〜２０ｃは、各スイッチングレギュレータ１４ａ〜ｃをオンするためのフレーム情報を使用するよう構成されている。これに対して信号ＵｓｔｒｏｂｅＲ，ＵｓｔｒｏｂｅＧ，ＵｓｔｒｏｂｅＢは、十分に長い間遅延されているので、相応の短絡スイッチが非導通状態に切り換えられる時点には、スイッチングレギュレータ１４ａ〜ｃは既に所期の出力電流を供給することができる。
【００３０】
図示していない実施形態では、制御装置１０における計算コストを低減するために、図５に関連して記載したフレーム情報の評価原理を、図１に図示したようなただ１つのスイッチングレギュレータのみを有する実施形態においても使用される。
【００３１】
図６は、図５の実施形態に関する信号Ｕｓｙｎｃ，ＵｓｔｒｏｂｅＲ，ＵｓｔｒｏｂｅＧ，ＵｓｔｒｏｂｅＢの時間推移を示す。信号Ｕｓｙｎｃは、赤色光を出力するＬＥＤ１、緑色光を出力するＬＥＤ２、ならびに青色光を出力するＬＥＤ３のためのフレーム情報をシリアルに含む。図４の図と比較して、図６の時点ｔ４Ｒ，ｔ４Ｇ，ｔ４Ｂは固定的であり、一方で、図４では、これらの時点ｔ４Ｒ，ｔ４Ｇ，ｔ４Ｂは、相応の時点ｔ３Ｒ，ｔ３Ｇ，ｔ３Ｂに対してのみ固定的である。例えば信号Ｕｓｙｎｃを形成するための同期化情報は、信号ＵｓｔｒｏｂｅＲ，ＵｓｔｒｏｂｅＧ，ＵｓｔｒｏｂｅＢの推移から得ることができる。
【図１】
0005538616.tif 000002
【図２】
0005538616.tif 000003
【図３】
0005538616.tif 000004
【図４】
0005538616.tif 000005
【図５】
0005538616.tif 000006
【図６】
0005538616.tif 000007